(57)【要約】【課題】取付具の反りの発生を抑制できる取付具及び取付具を用いた取付構造を提供する。【解決手段】壁裏金具１は、手すり１１４を取り付けるための壁裏金具１であって、板状形状を有し、第１主面１０側に、手すり１１４を取り付ける時に壁に接触する接触面１２と、パッキン１４が貼り付けられる押さえ面１６と、を備え、押さえ面１６が、接触面１２よりも第２主面１８側に位置する形状を有する。このような構成により、手すり１１４を壁に取り付けて、押さえ面１６によってパッキン１４を押さえても壁裏金具１が反り難くなる。【選択図】図５
2020133170.tif 000002
【特許請求の範囲】
【請求項１】
荷重受け部材を壁に取り付けるための取付具であって、
板状形状を有し、
一方の主面側に、前記荷重受け部材を取り付けるときに壁に接触する接触面と、弾性部材を押さえる押さえ面と、を備え、
前記押さえ面が、前記接触面よりも前記板状形状の厚み方向の他方の主面側に位置する形状を有することを特徴とする取付具。
【請求項２】
前記押さえ面は、前記一方の主面の縁部に設けられている、請求項１に記載の取付具。
【請求項３】
前記押さえ面と、前記接触面との間には、曲げ部が形成されている、請求項１又は２に記載の取付具。
【請求項４】
前記押さえ面に前記弾性部材を備える、請求項１乃至３の何れか１項に記載の取付具。
【請求項５】
所定方向に荷重が加えられ、壁の表面に取り付けられる荷重受け部材を当該壁の裏面から支持する取付構造であって、
板状形状を有し、一方の主面側に、前記荷重受け部材を取り付けるときに壁に接触する接触面と、弾性部材を押さえる押さえ面と、前記接触面と前記押さえ面との間に形成され、板状形状の長手方向に延びる曲げ部と、を備え、前記押さえ面が、前記接触面よりも前記板状形状の厚み方向の他方の主面側に位置する形状を有する壁裏金具と、
前記押さえ面により前記裏面に押し付けられる弾性部材と、を備え、
前記壁裏金具は、前記曲げ部の延びる方向が、前記所定方向と平行になる向きで配置されている、取付構造。
【発明の詳細な説明】
【技術分野】
【０００１】
本発明は、取付具及びこの取付具を用いた取付構造に関する。
【背景技術】
【０００２】
従来、例えば浴室の手すりのような荷重受け部材を壁に取り付ける際に、壁の裏面に壁裏金具が用いられている。例えば特許文献１に記載された壁裏金具は、荷重受け部材の固定用のボルトを受け入れる２つの雌ネジが形成された、平坦な板状形状を有している。また、壁裏金具の表面には、パッキンが貼り付けられている。壁裏金具を取り付けるときは、まず、荷重受け部材を取り付けたい壁の位置を決定し、その裏面に壁裏金具を仮固定する。次いで、壁裏金具が仮固定されている凡その位置を把握しながら壁の表面から荷重受け部材を固定するためのボルトを壁にねじ込み、ボルトと雌ネジをかみ合わせることで、荷重受け部材を壁の表面に固定する。荷重受け部材を固定するためにボルトをしっかりと締めると、壁裏金具はボルトによって壁の裏面に向けて引っ張られる。これにより、壁と壁裏金具の補強板の表面にあるパッキンが潰され、荷重受け部材をしっかりと取り付けることができる。
【先行技術文献】
【特許文献】
【０００３】
【特許文献１】特開２００６−２００１５５号公報
【発明の概要】
【発明が解決しようとする課題】
【０００４】
特許文献１に記載された壁裏金具が壁に取り付けられている状態では、補強板の内部応力の強さが壁裏金具の部位によって異なるため、壁裏金具に反りが発生してしまうという問題があった。より具体的には、壁裏金具の雌ネジが設けられている箇所では、壁裏金具はボルトによって壁の裏面に密着する。しかしながら、パッキンが貼り付けられている箇所は、壁の裏面と壁裏金具との間にパッキンが介在するため、壁裏金具は壁の裏面から離れた位置までしか到達せず、壁裏金具に反りが発生してしまう。
【０００５】
本発明は上記課題を解決するものであり、反りを抑制できる取付具及び取付具を用いた取付構造を提供することを目的とする。
【０００６】
上記課題を解決するために、本発明による取付具は、荷重受け部材を壁に取り付けるための取付具であって、板状形状を有し、一方の主面側に、荷重受け部材を取り付けるときに壁に接触する接触面と、弾性部材を押さえる押さえ面と、を備え、押さえ面が、接触面よりも板状形状の厚み方向の他方の主面側に位置する形状を有することを特徴とする。
【０００７】
このような構成によれば、荷重受け部材を壁に取り付けて、押さえ面によって弾性部材を押さえても取付具が反り難くなる。
【０００８】
また、本発明の他の態様による取付構造は、所定方向に荷重が加えられ、壁の表面に取り付けられる荷重受け部材を当該壁の裏面から支持する取付構造であって、板状形状を有し、一方の主面側に、荷重受け部材を取り付けるときに壁に接触する接触面と、弾性部材を押さえる押さえ面と、接触面と押さえ面との間に形成され、板状形状の長手方向に延びる曲げ部と、を備え、押さえ面が、接触面よりも板状形状の厚み方向の他方の主面側に位置する形状を有する壁裏金具と、押さえ面により裏面に押し付けられる弾性部材と、を備え、壁裏金具は、前記曲げ部の延びる方向が、前記所定方向と平行になる向きで配置されている。
【０００９】
このような構成によっても、荷重受け部材を壁に取り付けて、押さえ面によって弾性部材を押さえても取付具が反り難くなる。
【発明の効果】
【００１０】
以上のように本発明によれば、取付具の反りを抑制できる。
【図面の簡単な説明】
【００１１】
【図１】本発明の実施形態による壁裏金具の斜視図である。
【図２】壁裏金具のＸＺ平面図である。
【図３】図２の領域Ａの拡大図である。
【図４】壁裏金具を用いた取付構造のＸＹ平面に沿った断面図である。
【図５】同取付構造のＸＺ平面図である。
【図６】実施形態の変形例による壁裏金具のＸＺ平面図を示す。
【図７】従来技術による壁裏金具を示す正面図である。
【図８】壁裏金具を用いた取付構造を示す側断面図である。
【発明を実施するための形態】
【００１２】
以下、本発明の実施形態について説明する。なお、実施形態による壁裏金具、及び壁裏金具を用いた取付構造の効果をより明確にするために、まずは従来技術について説明する。
【００１３】
〔従来技術〕
図７は、従来技術による壁裏金具を示す正面図である。壁裏金具１０１は、板形状を有しており、板形状の一方の主面１１０の中央付近にパッキン１１２が張り付けられている。また壁裏金具１０１は、パッキン１１２と重ならない位置に雌ネジ１１４を２つ有している。パッキン１１２の表面には、接着剤等の接着手段が適用されている。
【００１４】
図８は、この壁裏金具を用いた取付構造を示す側断面図である。図８には、浴室の手すり１１６を壁１１８に取り付けたときの取付構造を示す。壁裏金具１０１を取り付けるためには、壁１１８の裏面にある適用面１２０に壁裏金具１０１を位置決めし、パッキン１１２の表面を適用面１２０に押し当てることで壁裏金具１０１を適用面１２０に張り付ける。次いで、壁裏金具１０１の雌ネジ１１４の凡その位置を考えながら、壁１１８の表側から雌ネジ１１４の孔と直線上の位置にボルト１２２用の孔を開ける。次いで、手すり１１６を取り付けるためのボルト１２２を孔に通し、ボルト１２２と雌ネジ１１４をかみ合わせる。ボルト１２２を締め続けると壁裏金具１０１はパッキン１１２を潰しながら壁１１８の適用面１２０に引き寄せられ、最終的には適用面１２０に接触する。
【００１５】
このとき、壁裏金具１０１には、壁裏金具１０１と適用面１２０との間に潰れたパッキン１１２が介在している部分と、壁裏金具１０１が直接適用面１２０に接触している部分が存在する。壁裏金具１０１の雌ネジ１１４が設けられている部分付近には適用面１２０に引き寄せられる力が加わり、パッキン１１２が介在している部分は適用面１２０から離される力Ｆ１が加わるため、壁裏金具１０１に反りが発生する。
【００１６】
〔実施形態による壁裏金具及び取付構造〕
図１は、実施形態による壁裏金具の斜視図である。図１に示すように、取付具としての壁裏金具１は、全体的に板状形状を有しており、一方の主面である第１主面側１０に、例えば浴室の壁の適用面に接触する接触面１２と、弾性部材としてのパッキン１４を貼り付け可能な押さえ面１６とが設けられている。なお、以下では、Ｘ軸、Ｙ軸、及びＺ軸からなる３次元直交座標系を用いて詳細な説明を行う。Ｘ軸は接触面１２と押さえ面１６の配列方向に延び、Ｚ軸は第１主面１０の面外方向に延びる。
【００１７】
接触面１２及び押さえ面１６が形成されている第１主面１０は、ＸＹ平面上にあり、Ｚ方向を向いている。また、壁裏金具１の他方の主面である第２主面１８は、第１主面１０と平行な平面であり、−Ｚ方向を向いている。
【００１８】
図２は、壁裏金具のＸＺ平面図であり、図３は、図２の領域Ａの拡大図である。接触面１２は、壁裏金具１のＸ軸方向中央に形成されており、壁裏金具１のＸ軸方向長さの大部分を占める。接触面１２の面積の大きさは、荷重受け部材としての手すりを取り付けたときの手すりの強度に影響を及ぼし、接触面１２の面積が大きいほど、手すりの取り付け強度が向上する。したがって、接触面１２のＸ軸方向長さが長いほど、接触面１２の面積を大きくでき、手すりの取り付け強度を向上させることができる。
【００１９】
押さえ面１６は、後述するように施工時にパッキン１４を壁に押さえつけると共に、パッキン１４が貼り付けられる面である。このような押さえ面１６は、接触面１２よりも第２主面１８側、即ち−Ｚ方向側に位置している。押さえ面１６が接触面１２よりも第２主面１８側に位置しているとは、接触面１２を下向きにして壁裏金具１を平坦な設置面に置いたときに、押さえ面１６が設置面から浮いており設置面には接触しないような位置関係にあることをいう。
【００２０】
このような押さえ面１６は、第１主面１０の縁部、より具体的にはＸ軸方向両端部に形成されており、Ｙ軸方向に沿って長手方向軸線が延びる長尺形状を有している。押さえ面１６は、一枚の金属プレートの両端を所定角度で第２主面側１８に曲げることによって形成されていることが好ましい。このように金属プレートの両端を曲げて押さえ面１６を形成することにより、壁裏金具１の生産性を向上させることができる。折り曲げられた金属プレートは、折り曲げた箇所にある曲げ部２０を介して接触面１２と押さえ面１６とが連続する。なお、図示の例では押さえ面１６を平面として示しているが、押さえ面１６は必ずしも平面である必要はなく、例えば第１主面１０側に凸となるように湾曲していても良い。また、図示の例では、第１主面１０の両側の縁に押さえ面１６を設けることとしたが、押さえ面１６を設ける位置はこれに限られるものではなく、適用する場面に応じて適宜変更可能である。しかしながら、押さえ面１６を形成する位置は、押さえ面１６を横切る直線に対して線対称な位置とすることが好ましい。
【００２１】
押さえ面１６には、パッキン１４が貼り付けられている。パッキン１４は、押さえ面１６のＹ軸方向長さよりも僅かに短く、かつ押さえ面のＸＺ平面上における長さよりも僅かに短い長尺形状を有している。パッキン１４は、押さえ面１６を正面から見たときに押さえ面１６からはみ出ていない。また、パッキン１４は、押さえ面１６と接触面１２との曲げ部２０から離れた位置に配置されている。パッキン１４は、例えばスポンジのような弾性変形可能な材料によって形成されており、押さえ面１６に貼り付けられる側の第１接着面（図示せず）、及びそれとは反対側を向いた第２接着面１４ａを有している。第１接着面及び第２接着面１４ａには、接着剤又は両面テープが適用されている。そして第１接着面１４ａは、壁裏金具１の押さえ面１６に貼り付けられ、第２接着面１４ａは、施工時に壁の適用面に貼り付けられる。このようなパッキン１４は、第２接着面１４ａにライナーを施した上で壁裏金具１の流通段階で押さえ面１６に貼り付けられていても良いし、施工現場で施工者がパッキン１４を押さえ面１６に貼り付けても良い。
【００２２】
パッキン１４の第１及び第２接着面間方向の厚みは特に限定されるものではないが、押さえ面１６と接触面１２とがなす角度との関係で決定されることが好ましい。例えばＹ軸方向から見たときの押さえ面１６と接触面１２とのなす角度が小さい場合には、パッキン１４を薄くし、反対に押さえ面１６と接触面１２とのなす角度が大きい場合には、パッキン１４を厚くすることができる。
【００２３】
先述したように、パッキン１４は、押さえ面１６と接触面１２との曲げ部２０から離れた位置に形成されている。そして図３に示すように、パッキン１４の側面と、接触面１２をＸ方向に伸ばした仮想線Ｌ１と、押さえ面１６とによって三角形断面の退避空間２２が形成されている。詳細は後述するが、退避空間２２は、パッキン１４が潰れて変形したときに変形して広がったパッキンを受け入れる空間となる。退避空間２２の大きさ、及びパッキン１４と境界にある曲げ部２０との距離は、パッキン１４の固さや厚さに応じて適宜設定可能である。また、Ｙ軸方向から壁裏金具１を見たときに、パッキン１４が曲げ部２０に向けて先細る形状を採用し、パッキン１４と曲げ部２０との間の距離をほぼゼロにしても良い。また、弾性部材の密度が低く、弾性部材が潰れても幅の広がりが小さい場合には、必ずしも退避空間２２を設けなくてもよい。
【００２４】
また、パッキン１４の厚みは、そのＺ方向端２４が、仮想線Ｌ１上、又は仮想線Ｌ１よりもＺ方向側に位置するように決定することが好ましい。さらに好ましくは、パッキン１４の厚みは、第２接着面１４ａの半分以上が仮想線Ｌ１よりもＺ方向側にくるように決定される。パッキンの第２接着面１４ａの接着力は、壁裏金具１を仮固定するときに用いられる。したがって、パッキン１４の第２接着面１４ａが仮想線Ｌ１上にあれば、壁裏金具１の接触面１２を適用面に接触させたときに、第２接着面１４ａが適用面に接触するため、壁裏金具１を適用面に仮固定することができる。しかしながらパッキン１４の厚みが足りず、パッキン１４のＺ方向端部が仮想線Ｌ１よりも−Ｚ方向側にある場合には、壁裏金具１の接触面１２を適用面に接触させたときに、第２接着面１４ａが適用面に届かないか、届いたとしても壁裏金具１を仮固定できる程十分に貼り付かないことがある。したがって、パッキン１４の厚みを、パッキン１４のＺ方向端２４が仮想線Ｌ１よりもＺ方向側に位置するように決定することで歩留まりが向上する。また、パッキン１４のＺ方向端２４を仮想線Ｌ１と平行に面取りし、パッキン１４の第２接着面１４ａが適用面と平行になるようにしてもよい。
【００２５】
図１に戻り、壁裏金具１は、手すり１１６を取り付けるために用いられるボルト１２２とかみ合う雌ネジ２６を備えている。雌ネジ２６は、壁裏金具１の第１主面１０から第２主面１８まで貫通している。図示の例では、２つの雌ネジ２６が、Ｘ軸方向の中央付近に、Ｙ軸方向に配列されている。
【００２６】
図４は、壁裏金具を用いた取付構造のＸＹ平面に沿った断面図であり、図５は、同取付構造のＸＺ平面図である。図４の例では、壁１１８の表側に手すり１１６が配置されており、壁１１８を介して手すり１１６の反対側にある壁の適用面２８に壁裏金具１が配置されている。また、ボルト１２２が壁１１８を貫通して延びている。そしてボルト１１８の先端は、壁裏金具１の雌ネジ２６を通って壁裏金具１の第２主面１８側に到達している。
【００２７】
壁裏金具１を適用面２８に適用する場合、適用面２８に壁裏金具１を位置決めし、パッキン１４の第２接着面１４ａを適用面２８に押し当てることで壁裏金具１を適用面２８に仮固定する。次いで、壁裏金具１の雌ネジ２６の凡その位置を考えながら、壁１１８の表側から雌ネジ２６の孔と直線上の位置にボルト１２２用の孔を開ける。次いで、手すり１１６に連結されたボルト１２２を孔に通し、ボルト１２２と雌ネジ２６をかみ合わせる。このとき仮にボルト１２２用の孔の位置と、雌ネジ２６の位置とが完全に一致していなくても、壁裏金具１は弾性を有するパッキン１４の作用によりある程度はＸＹ平面内で移動するため、ボルト１２２を容易に雌ネジ２６にかみ合わせることができる。ボルト１２２を締め続けることで壁裏金具１が適用面２８に押し付けられる。
【００２８】
図５に示すように、手すり１１６が壁１１８に取り付けられている状態では、ボルト１２２と壁裏金具１の締結により、壁裏金具１の接触面１２が適用面２８に押し付けられている。そして、壁裏金具１は変形せず、元の形を維持したままである。また、この状態では、パッキン１４が押さえ面１６と適用面２８との間で潰され、変形している。なお図５においては、変形前のパッキン１４の形状を一点鎖線で示している。また、説明の便宜上、手すり１１６は二点鎖線で示している。先述したように、パッキン１４と、仮想線Ｌ１と、押さえ面１６との間には退避空間２２が形成されており、変形して幅が拡大したパッキン１４の一部が退避空間２２内に受け入れられている。この退避空間２２は、押さえ面１６の面積をパッキン１４の第１接着面の面積よりも大きくすることで確保できる。また、壁裏金具１のＸ方向端部では、押さえ面１６が適用面２８から離れる形状を有しているため、パッキン１４の幅方向への広がりが拘束されることはない。これにより、パッキン１４を変形させて適用面２８に貼り付けたときに、パッキン１４の第１及び第２接着面１４ａが押さえ面１６から剥がれるのを抑制することができる。
【００２９】
また、図示の例では、手すり１１６には−Ｙ方向に荷重がかかることとなるが、壁裏金具１は、曲げ部２０がＹ軸方向に延びるように配置されている。一般的には人が手すり１１６を掴むと手すり１１６には、鉛直方向の荷重が加えられるため、ここでは−Ｙ方向が鉛直方向下向きであるものとする。手すり１１６に鉛直方向下向きの荷重が加わると、壁裏金具１には、ボルト１２２を介して壁裏金具１を水平軸（Ｘ軸）周りに曲げる力が作用する。したがって、曲げ部２０が荷重の方向と平行な鉛直方向に延びるように壁裏金具１を配置することにより、壁裏金具１が屈曲方向に対して異形断面を有することとなり、屈曲方向に対する断面二次モーメントを向上させることができる。なお、ここでいう荷重方向と曲げ部２０の延びる方向が平行とは、両者が文字通りに厳密に平行である必要はなく、例えば５度程度の一定の誤差を含むものである。
【００３０】
以上のように壁裏金具１によれば、押さえ面１６と接触面１２とが同一平面上になく押さえ面１６を壁裏金具１の第２主面１８側に設けることにより、壁裏金具１の反りを生じさせることなく、パッキン１４が潰れたときの退避空間２２を予め設けることができる。このため、壁裏金具１の接触面１２を壁の適用面に接触させたとき、接触面１２と押さえ面１６が同一平面上にある場合と比べ、パッキン１４の逃がし代を確保でき、パッキン１４により適用面１２０から離される方向に付与される力Ｆ２を小さくできる。この結果、壁裏金具１の−Ｚ方向への反りを抑制することができる。そして壁裏金具１の反りを抑制することにより、手すり１１６の固定が緩んだり、手すり１１６の取り付け強度が低下したりするのを抑制することができる。
【００３１】
次に、上記実施形態の変形例を説明する。
【００３２】
図６は、実施形態の変形例による壁裏金具のＸＺ平面図を示す。図６（Ａ）に示す例では、壁裏金具４１のＸ軸方向の両縁に段部分４２を設けている。段部分４２は、Ｙ軸方向に第１主面４４を横切って延びている。第１主面４４のうち壁裏金具４１のＸ軸方向中央が接触面４６となり、段部分４２のＸＹ平面にある面が押さえ面４８となる。このような変形例でも、押さえ面４８が接触面４２よりも第２主面５０側にあり、２つの押さえ面４８のそれぞれにはＹ軸方向に延びるパッキン５２が貼り付けられている。パッキン５２の側面は、壁裏金具４１のＺ軸方向に延びる壁から離れており、両者の間には退避空間５４が形成されている。この例では、実施形態と同様に、第１主面のＸ軸方向中央に雌ネジ５６が設けられている。
【００３３】
図６（Ｂ）に示す例では、壁裏金具６１のＸ軸方向中央に、第１主面６２から−Ｚ方向に突出する突出部６４を備えている。突出部６４は、Ｙ軸方向に第１主面６２を横切って延びている。第１主面６２のうち壁裏金具６１のＸ軸方向両側が接触面６６となり、突出部６４のＸＹ平面にある面が押さえ面６８となる。このような変形例でも、押さえ面６８が接触面６６よりも第２主面７０側にあり、押さえ面６８にはＹ軸方向に延びるパッキン７２が貼り付けられている。パッキン７２の側面は、壁裏金具６１のＺ軸方向に延びる壁から離れており、両者の間には退避空間７４が形成されている。この例では、突出部６４のＸ軸方向両側にそれぞれ雌ネジ７６が設けられている。
【００３４】
図６（Ｃ）に示す例は、図６（ｂ）の例の更なる変形例である。図６（Ｃ）に示すように、壁裏金具８１の第１主面８２の表面にＹ軸方向に沿って延びる溝８４を形成し、溝８４の表面を押さえ面としても良い。
【００３５】
このように壁裏金具の形状は実施形態及び変形例に記載された形状に限られるものではない。また、実施形態では、荷重受け部材として手すり１１４を取り付けるために壁裏金具１を用いることとしたが、例えば浴室のシャワーヘッドを保持するためのスライドバーや、廊下の手すり等を取り付けるために壁裏金具を用いてもよい。この中でも、とりわけ浴室ユニットの施工時に壁裏金具を用いることが特に有用である。浴室ユニットの施工時には、浴室ユニットの壁面と、躯体の壁面との間が非常に狭くなることが多い。したがって、浴室ユニットの背面に壁裏金具１を取り付ける作業を行うための空間が狭くなる。そうすると、壁裏金具１のように仮固定することができるものを用いることにより作業効率を向上させることができる。また、上述したように壁裏金具１は、接触面１２が適用面２８に面するように配置すれば良く、垂直な壁以外にも、天井や床に荷重受け部材を取り付ける際にも使用することができる。
【００３６】
以上、本発明の実施形態や変形例について詳細に説明した。前述した実施形態や変形例は、いずれも本発明を実施するにあたっての具体例を示したものにすぎない。実施形態や変形例の内容は、本発明の技術的範囲を限定するものではなく、発明の思想を逸脱しない範囲において、構成要素の変更、追加、削除等の多くの設計変更が可能である。図面の断面に付したハッチングは、ハッチングを付した対象の材質を限定するものではない。
【００３７】
以上の実施形態、変形例により具体化される発明を一般化すると、以下の技術的思想が導かれる。以下、発明が解決しようとする課題に記載の態様を用いて説明する。
【００３８】
第２の態様は、第１の態様において、押さえ面は、一方の主面の縁部に設けられている。
【００３９】
この構成によれば、押さえ面に貼り付けるパッキンの形状の選択の自由度を向上させることができる。
【００４０】
第３の態様は、第１又は第２の態様において、押さえ面と、接触面との間には、曲げ部が形成されている。
【００４１】
この構成によれば、壁裏金具を容易に成型することができる。
【符号の説明】
【００４２】
１    壁裏金具
１０    第１主面
１２    接触面
１４    パッキン
１６    押さえ面
１８    第２主面
４１    壁裏金具
４４    第１主面
４６    接触面
４８    押さえ面
５０    第２主面
５２    パッキン
６１    壁裏金具
６２    第１主面
６６    接触面
６８    押さえ面
７０    第２主面
７２    パッキン
８１    壁裏金具
８２    第１主面
【図１】
2020133170.tif 000003
【図２】
2020133170.tif 000004
【図３】
2020133170.tif 000005
【図４】
2020133170.tif 000006
【図５】
2020133170.tif 000007
【図６】
2020133170.tif 000008
【図７】
2020133170.tif 000009
【図８】
2020133170.tif 000010